(57)【特許請求の範囲】
【請求項１】
地板に対して所定の間隔を空けて取り付けられている上板と、前記地板と前記上板との間において前記地板に立設された軸に回転可能に取り付けられていてシャッタ羽根を駆動する駆動レバーと、前記駆動レバーよりも前記上板側において前記軸を中心にして回転可能に配置されているウォームホイールと、前記軸に巻回されその一端を前記ウォームホイールに掛け他端を前記駆動レバーに掛けて該駆動レバーを一方向に回転させるように付勢している駆動バネと、前記駆動バネのばね力を変えて前記シャッタ羽根の幕速を調整するために前記ウォームホイールを回転させるウォームとを備えたシャッタ幕速調整機構において、
弾性を有する板状をしていて前記上板と一体的になるようにして取り付けられている押圧部材を備えていると共に、前記ウォームは、その両端部を前記上板に形成された２つの支持部に回転可能に軸支されていて、前記２つの支持部間に位置する軸本体部のうち少なくとも前記ウォームホイールに螺合しているネジ部の周面が、前記押圧部材によって前記ウォームホイールとの螺合箇所に向けて押圧されているようにしたことを特徴とするシャッタ幕速調整機構用のウォームギア緩み防止装置。
【請求項２】
前記押圧部材の先端角部を前記ウォームの前記周面に突き当てたことを特徴とする請求項１記載のシャッタ幕速調整機構用のウォームギア緩み防止装置。
【請求項３】
前記押圧部材の板面を前記ウォームの前記周面に押し当てたことを特徴とする請求項１記載のシャッタ幕速調整機構用のウォームギア緩み防止装置。
【請求項４】
前記ウォームの前記軸本体部には、少なくとも前記ネジ部の前記周面にラチェットの歯部を形成し、前記押圧部材の先端を該歯部に係合させたことを特徴とする請求項１記載のシャッタ幕速調整機構用のウォームギア緩み防止装置。
【請求項５】
前記押圧部材は、前記ウォームの前記周面に当接させる弾性舌片と、この舌片を固定させるベース部とからなることを特徴とする請求項１〜４のいずれか一項記載のシャッタ幕速調整機構用のウォームギア緩み防止装置。
【発明の詳細な説明】
【０００１】
【発明の属する技術分野】
本発明は、シャッタ幕速調整機構に適用されるウォームギアの緩み防止装置に関するものである。
【０００２】
【従来の技術】
従来、このような分野の技術を開示したものとして、特開平６−３０８５７４号公報がある。この公報に記載されたフォーカルプレンシャッタは、幕速の調整にウォームギアを利用していて、そのウォームギアの緩みを防止するための手段を備えている。この緩み防止装置は、露光ムラや不適正露光などの発生を防止するためのものであり、ウォームの頭部にゴム製のキャップ状弾性部材を被せた状態で、板状の押圧部材を弾性部材に押し当てるように構成されている。従って、地板と一体に形成された押圧部材と、ウォームの頭部に嵌め込まれた弾性部材との協働により、ウォームの回転を阻止し、シャッタ作動時の衝撃により振動が発生しても、ウォームの定位置を保持し続けるようになっている。
【０００３】
【発明が解決しようとする課題】
しかしながら、前述した従来の緩み防止装置には、次のような課題が存在していた。すなわち、この装置は、板状の押圧部材とキャップ状の弾性部材とにより構成され、更には、弾性部材をウォームの頭部に確実に固定するために接着剤を必要とする場合もある。
【０００４】
本発明は、上述の課題を解決するためになされたもので、特に、カメラ用シャッタのシャッタ羽根の幕速の微調整が容易に行える構成であって、且つウォームの緩みを好適に防止できるようにしたシャッタ幕速調整機構用のウォームギア緩み防止装置を提供することを目的とする。
【０００５】
【課題を解決するための手段】
請求項１に係る本発明のシャッタ幕速調整機構用のウォームギア緩み防止装置は、地板に対して所定の間隔を空けて取り付けられている上板と、前記地板と前記上板との間において前記地板に立設された軸に回転可能に取り付けられていてシャッタ羽根を駆動する駆動レバーと、前記駆動レバーよりも前記上板側において前記軸を中心にして回転可能に配置されているウォームホイールと、前記軸に巻回されその一端を前記ウォームホイールに掛け他端を前記駆動レバーに掛けて該駆動レバーを一方向に回転させるように付勢している駆動バネと、前記駆動バネのばね力を変えて前記シャッタ羽根の幕速を調整するために前記ウォームホイールを回転させるウォームとを備えたシャッタ幕速調整機構において、弾性を有する板状をしていて前記上板と一体的になるようにして取り付けられている押圧部材を備えていると共に、前記ウォームは、その両端部を前記上板に形成された２つの支持部に回転可能に軸支されていて、前記２つの支持部間に位置する軸本体部のうち少なくとも前記ウォームホイールに螺合しているネジ部の周面が、前記押圧部材によって前記ウォームホイールとの螺合箇所に向けて押圧されているようにしたことを特徴とする。
【０００６】
この装置を適用するシャッタ幕速調整機構は、ウォームの回転により駆動バネの巻き強さを調整することで、シャッタ羽根の幕速を調整するためのものである。また、幕速の微調整は、高速シャッタになればなるほど、より狭くなる露光スリットの幅を正確に得るために必要となり、ウォームとウォームホイールとからなるウォームギアの適用が最適となる。ところが、この場合、ウォームホイールは、幕速が高速であればあるほど、すなわち、駆動バネの巻き強さが強ければ強いほど、シャッタ作動時の衝撃による振動で緩み方向（駆動バネのばね力を弱める逆転方向）に回ってしまう傾向にある。これは、ウォームとウォームホイールとの間にバックラッシが存在するために起こり易くなっており、ウォームギアの構造に起因するものである。そこで、このような緩みを防止するにあたって、押圧部材とウォームの周面とが直接干渉し合うように、押圧部材を少なくともウォームのネジ部に当接させる。すなわち、ウォームのネジ部の周面と押圧部とを直に接触させることで、押圧部材自体の材質とウォーム自体の材質とに起因した緩み防止を可能にし、構造の簡素化を可能にする。
【０００７】
請求項２記載の装置のように、押圧部材の先端角部をウォームの周面に突き当てるようにしてもよい。このような構成を採用した場合は、押圧部材の先端角部がウォームの周面に押し当てられる結果、押圧部材とウォームとの間に極めて大きな摩擦力を発生させることができ、ウォームの逆転を阻止し、ウォームホイールの緩み方向の回転を的確に阻止することができる。
【０００８】
請求項３記載の装置のように、押圧部材の板面をウォームの周面に押し当てるようにしてもよい。この場合は、ウォームの周面と押圧部材の板面との面接触による摩擦力を利用して、ウォームの逆転を阻止し、ウォームホイールの緩み方向の回転を防止することができる。
【０００９】
請求項４記載の装置のように、ウォームの軸本体部のうち少なくともネジ部の周面にラチェットの歯部を形成し、押圧部材の先端を歯部に係合させるようにしてもよい。この場合は、ラチェットの逆転防止機能に着目して、ウォームホイールの緩み方向の回転を適切に防止することができる。そして、このウォームは、ラチェットの歯部の歯数に応じたピッチ送りをも可能にするものである。
【００１０】
請求項５記載の装置のように、押圧部材は、ウォームの周面に当接させる弾性舌片と、この舌片を固定させるベース部とからなるようにしてもよい。この場合は、押圧部材に舌片を採用する結果、ウォームの周面への当接が容易となる。
【００１１】
【発明の実施の形態】
以下、図面と共に本発明によるシャッタ幕速調整機構用のウォームギア緩み防止装置の好適な実施形態について詳細に説明する。
【００１２】
図１はスクエア型フォーカルプレンシャッタを示す正面図である。同図に示すシャッタ１は、略中央に撮影用開口部２ａをもった地板２を有し、開口部２ａの上方位置には、重畳状態で後幕用シャッタ羽根３が収容され、開口部２ａを塞ぐようにして複数枚の先幕用シャッタ羽根４が配列されている。また、後幕用シャッタ羽根３の幕速は、地板２と配線基板７との間に収容した捩りコイルバネの構成をもつ駆動バネ５のばね力により制御される。また、先幕用シャッタ羽根４も同様であり、捩りコイルバネの構成をもつ駆動バネ６のばね力により制御される。そして、シャッタ羽根３，４の幕速調整は、これらの駆動バネ５，６の巻き込み量を調整することで行われる。そして、そのような幕速調整は、シャッタ速度が高速（例えば１／４０００秒を超える秒時）になればなるほど、微細に調整し得ることが要求され、これに応えるものとして、後述するウォームギアが用いられることになる。なお、このようにウォームギアを用いて幕速を微調整する機構は上記の公報などによって一般的に知られたものである。
【００１３】
図２に示すように、地板２には、駆動軸８、配線基板７及び上板９を支える支柱Ｓが立設されている。この駆動軸８には、ホイールカラン１０と軸受け１１が配されている。また、ホイールカラン１０には、ウォームギアＷの一部を構成する回動可能なウォームホイール１６が取り付けられている。駆動軸８の周囲には、捩りコイルバネを構成する駆動バネ５が巻回され、駆動バネ５の一端はウォームホイール１６に引掛けるようにして固定され、駆動バネ５の他端は、駆動レバー１２に設けられたバネ掛け部１２に引掛けるようにして固定されている。
【００１４】
駆動レバー１２は駆動軸８によって軸支され、駆動レバー１２の先端には駆動ピン１４が固定され、この駆動ピン１４によって羽根アーム１５を回動させる。この羽根アーム１５は、後幕用シャッタ羽根３を駆動させるリンク機構の一部として構成されている。そして、駆動バネ５の巻き込みによるシャッタチャージ後に、後幕用シャッタ羽根３は所定の幕速で作動する。
【００１５】
このような駆動バネ５は、製品出荷時に巻き込み角の微調整を行う必要があり、高速シャッタ化に対応し、シャッタ幕速調整機構としてのウォームギアＷを採用するに至っている。そして、ウォームギアＷにおいて、ウォームホイール１６には、前述したように駆動バネ５の一端が固定され、ウォームホイール１６の回転に応じた駆動バネ５の巻き込みを達成する。更に、ウォームホイール１６には、ウォームギアＷの一部を構成するウォーム１７が螺合されている。
【００１６】
図３及び図４に示すように、ウォーム１７の一端は、上板９から垂下する前板１８に設けた挿入孔１８ａ内に差し込まれ、外側に向けてドライバ挿入用の一文字穴１９が露出するようになっている。ウォーム１７の他端は、上板９から垂下する後板２０で回転自在に軸支されている。その結果、ウォーム１７のヘッド部２１は、前板１８の挿入孔１８ａ内に挿入され、ウォーム１７の軸本体部２２は、前板１８と後板２０との間に配置されることになり、この軸本体部２２は螺旋状のネジ部２２ａを有している。そして、ウォーム１７のネジ部２２ａがウォームホイール１６と螺合することで、駆動バネ５の無段階の締め込み調整を可能にしている。
【００１７】
ここで、前述したウォームホイール１６は、後幕用シャッタ羽根３の幕速が高速であればあるほど、すなわち、駆動バネ５のばね力が強ければ強いほど、シャッタ作動時の衝撃による振動で緩み方向（駆動バネ５のばね力を弱めるような逆転方向）に回ってしまう傾向にある。これは、ウォーム１７とウォームホイール１６との間にバックラッシが存在するために起こり易く、ウォームギアＷの構造に起因するものである。そこで、ウォームホイール１６と対峙する側において、上板９には、ウォームギア緩み防止装置としての板状の押圧部材２５が固定されている。この押圧部材２５は、Ｌ字状に折曲げられていると共に、上板９にネジ止め固定させるためのベース部２５ａと、弾性を有してウォーム１７の周面に直接的に押し付けられる舌片２５ｂとからなる。
【００１８】
この舌片２５ｂの先端角部２６は、図５に示すように、ウォーム１７のネジ部２２ａの周面に対して上から突き当てるように、ベース部２５ａからウォーム１７の略接線方向に延びている。そこで、駆動バネ５の締め込み微調整時において、矢印Ａ方向にウォーム１７をドライバ等で回した場合、ウォーム１７は、舌片２５ｂの弾性力に打ち勝つようにして回る。これに対し、ウォーム１７が逆転方向（矢印Ｂ方向）に回ろうとすると、舌片２５ｂの先端角部２６がネジ部２２ａの周面に引っ掛かりとなって、舌片２５ｂがウォーム１７の回り止めとして機能する。
【００１９】
このように、押圧部材２５の舌片２５ｂが弾性を持つことに起因し、ウォーム１７がウォームホイール１６に適切な力をもって押し付けられることになる。従って、ウォーム１７とウォームホイール１６との摩擦力が増大し、バックラッシに起因したガタ付きの発生を抑制することができ、その結果、シャッタ作動時に発生するウォームホイール１６の緩み方向への回転を適切に防止することができる。これと同時に、押圧部材２５の先端角部２６がウォーム１７の周面に押し当てられる結果、押圧部材２５とウォーム１７との間に極めて大きな摩擦力を発生させることができ、ウォームホイール１６の緩み方向の回転を的確に阻止し得る。従って、このような構成を採用すると、強力な回転抑止力をもって、ウォームホイール１６の緩み方向の回転が阻止されることになる。
【００２０】
この場合、押圧部材２５の舌片２５ｂの先端角部２６が突き当てられる結果として、ウォーム１７の回転時に、舌片２５ｂがウォーム１７のネジ部２２ａの周面を削り取る虞れがある。そこで、押圧部材２５とウォーム１７との材質を異ならせ、押圧部材２５はウォーム１７より硬度の低い材料を使うとよい。例えば、ウォーム１７の材質を黄銅やリン青銅にした場合、押圧部材２５の材質には、鉄が適切である。ただし、押圧部材２５とウォーム１７とを同じ材質にしてもよいことは言うまでもない。
【００２１】
本発明に係るウォームギア緩み防止装置は、前述した実施形態に限定されるものではない。例えば、図６に示した実施形態は、押圧部材３０の舌片３０ｂを長くし、舌片３０ｂをベース部３０ａからウォーム１７の接線方向に延ばしている。そして、弾性をもった舌片３０ｂの板面３１を、ウォーム１７のネジ部２２ａの周面に押し当てている。このような構成は、ウォーム１７の周面と押圧部材３０の舌片３０ｂの板面３１との面接触による摩擦力を利用し、ウォームホイール１６の緩み方向の回転を防止するものである。
【００２２】
また、他の実施形態として、図７に示すように、押圧部材２５の舌片２５ｂを、軸本体部２２のネック部２２ｂ（図３参照）の周面に当接させるようにしてもよい。なお、このネック部２２ｂとは、前板１８と後板２０との間に設けた軸本体部２２において、一文字穴１９をもったヘッド部２１とネジ部２２ａとの間に形成された円柱状のネジ未加工部分をいう。
【００２３】
また、更に他の実施形態として、図８に示すように、ウォーム１７の軸本体部２２のうちのネジ部２２ａとネック部２２ｂとの少なくとも一方において、ウォーム１７の周面にラチェットの歯部３３を形成し、押圧部材３５のベース部３５ａから延びる弾性舌片３５ｂの先端を歯部３３に係合させるようにして、ウォーム１７の逆回転を阻止するように構成してもよい。これは、ラチェットの逆転防止機構に着目してなされ、ウォームホイール１６の緩み方向の回転を適切に防止するものである。そして、このウォーム１７は、ラチェットの歯部３３の歯数に応じたピッチ送りをも可能にするものである。
【００２４】
ここで、前述したウォームギアＷは、先幕用シャッタ羽根４の幕速調整機構にも適用可能である。そのため、先幕用シャッタ羽根４の幕速調整機構に本発明のウォームギア緩み防止装置を採用してもよいことは、言うまでもない。
【００２５】
【発明の効果】
本発明によるシャッタ幕速調整機構用のウォームギア緩み防止装置は、以上のように構成されているため、次のような効果を得る。すなわち、シャッタ羽根の幕速を調整するための駆動バネのばね力を調整するウォームホイールと、ウォームホイールを所定の方向に回転させるためのウォームとを備えたシャッタ幕速調整機構において、ウォームに形成されている少なくともネジ部の周面が押圧部材によってウォームホイールとの螺合箇所に向けて直接的に押圧されるようにしたので、シャッタ幕速の微調整が容易に行え且つウォームが緩むのを好適に防止することが可能になる。
【図面の簡単な説明】
【図１】  本発明に係るウォームギア緩み防止装置をもったシャッタの正面図である。
【図２】  ウォームギア緩み防止装置の要部拡大断面図である。
【図３】  図２の要部拡大斜視図である。
【図４】  図２の平面図である。
【図５】  押圧部材とウォームとの関係を示す要部拡大図である。
【図６】  押圧部材とウォームとの関係の他の例を示す要部拡大図である。
【図７】  押圧部材とウォームとの関係の更に他の例を示す要部拡大図である。
【図８】  押圧部材とウォームとの関係の更に他の例を示す要部拡大図である。
【符号の説明】
２・・・地板
３，４・・・シャッタ羽根
５，６・・・駆動バネ
１６・・・ウォームホイール
１７・・・ウォーム
２２・・・ウォームの軸本体部
２５，３０，３５・・・押圧部材
２５ａ，３０ａ・・・ベース部
２５ｂ，３０ｂ，３５ｂ・・・舌片
２６・・・押圧部材の先端角部
３１・・・押圧部材の板面
３３・・・ラチェットの歯部
Ｗ・・・・・・ウォームギア
【図１】
0004126131.tif 000002
【図２】
0004126131.tif 000003
【図３】
0004126131.tif 000004
【図４】
0004126131.tif 000005
【図５】
0004126131.tif 000006
【図６】
0004126131.tif 000007
【図７】
0004126131.tif 000008
【図８】
0004126131.tif 000009